(57)【特許請求の範囲】
【請求項１】
ウェットティッシュを収納し内袋取り出し口を有する内袋と、前記内袋を内包し内箱取り出し口を有する内箱と、前記内箱を包むスリーブ形状の外箱とからなるウェットティッシュ用容器において、前記内箱に前記内箱取り出し口を覆う開閉蓋を設け、該開閉蓋と前記外箱とを部分的に接着し、前記外箱を引き出すことにより、前記開閉蓋が開封されることを特徴とするウェットティッシュ用容器。
【請求項２】
前記外箱および前記内箱が、板紙により構成された紙製箱であることを特徴とする請求項１に記載のウェットティッシュ用容器。
【請求項３】
前記開閉蓋の裏面に再剥離性の感圧性接着剤が塗布されていることを特徴とする請求項１に記載のウェットティッシュ用容器。
【発明の詳細な説明】
【０００１】
【発明の属する技術分野】
本発明は、水や化粧水などの液体が含浸されたウェットティッシュを収納する容器に関し、ウェットティッシュの湿潤状態を保持しながら、ウェットティッシュを一枚ずつ取り出すことが可能なウェットティッシュ用容器に関するものである。
【０００２】
【従来の技術】
従来のウェットティッシュ用容器としては、複数枚のウェットティッシュを収納したガゼット袋などを開閉蓋を有する合成樹脂製の容器の中に入れた容器、あるいはガゼット袋に取り出し口を設け、シール蓋をその取り出し口を覆う開閉蓋として備え、開封しウェットティッシュを取り出した後に再封することによって密封性を保持することができるようにした容器が使用されている。
【０００３】
【発明が解決しようとする課題】
しかしながら、前者の合成樹脂製の容器は、密封性のよい開閉蓋を必要とするなど構造が複雑なために、生産コストが高くなってしまうという問題がある。さらに、使用後の廃棄が簡便でないという問題もある。
【０００４】
また、後者のガゼット袋は、ウェットティッシュの収納枚数が多い場合には、ガゼット袋の材料がプラスチックフィルムで構成されているために、柔軟であり、使用初期のウェットティッシュが袋内に多数枚収納され、形状が保持されている状態では、一枚ずつ取り出し、再封することに支障はないが、使用するに従って袋内のウェットティッシュが少なくなってきた時に、袋の形を保持することができなくなり、再封も難しくなってくるという問題がある。
【０００５】
このような課題に対して、本発明は、外箱から内箱をスライドし引き出すことにより、開閉蓋が簡単に開封され、再封が確実で容易で、内容物であるウェットティッシュの湿潤状態を保持し、また、中に収納するウェットティッシュの残量が少なくなっても、容器の形状を損なうことなく、中からウェットティッシュを一枚ずつ取り出すことができ、かつ、生産コストが低く、使用後の廃棄が容易であるウェットティッシュ用容器を提供することができる。
【０００６】
【課題を解決するための手段】
本発明は、上記のような課題を解決すべく検討した結果、ウェットティッシュを収納し内袋取り出し口を有する内袋と、前記内袋を内包し内箱取り出し口を有する内箱と、前記内箱を包むスリーブ形状の外箱とからなるウェットティッシュ用容器において、前記内箱に前記内箱取り出し口を覆う開閉蓋を設け、該開閉蓋と前記外箱とを部分的に接着し、前記外箱を引き出すことにより、前記開閉蓋が開閉されることを特徴とするウェットティッシュ用容器を見いだし、本発明に至ったものである。
また、前記外箱および前記内箱が、板紙により構成された紙製箱であることを特徴とし、前記開閉蓋の裏面に再剥離性の感圧性接着剤が塗布されていることを特徴とするウェットティッシュ用容器である。
【０００７】
本発明によれば、外箱から内箱をスライドし引き出すことにより、開閉蓋が簡単に開封され、再封が確実で容易で、内容物であるウェットティッシュの湿潤状態を保持し、また、中に収納するウェットティッシュの残量が少なくなっても、容器の形状を損なうことなく、中からウェットティッシュを一枚ずつ取り出すことができ、かつ、生産コストが低く、使用後の廃棄が容易であるウェットティッシュ用容器を得ることができる。
【０００８】
【発明の実施の形態】
以下図面に基づいて詳細に説明する。
図１は本発明のウェットティッシュ用容器の一実施例を示す斜視図である。図２は内袋を示す斜視図である。図３は内箱を示す斜視図であり、そして図４は内箱の展開図を示す図である。図５は外箱を示す斜視図であり、そして図６は外箱の展開図を示す図である。さらに、図７はウェットティッシュ用容器の一実施例を示す平面図および断面図であり、図８は内袋の付いた内箱を示す図である。
【０００９】
図１に示すように、ウェットティッシュ用容器Ａは、ウェットティッシュを収納し内袋取り出し口５を有する内袋１と、内袋１を内包し内箱取り出し口６を有する内箱２と、内箱２を包むスリーブ形状の外箱３と、そして内袋取り出し口５、内箱取り出し口６を覆う開閉蓋４とから構成されている。
【００１０】
内袋１は、図２に示すように、プラスチックフィルムあるいはその積層体からなり、内箱２の中に、組み入れ固定されやすいように、直方体に近い形の袋である。一般的にガゼット袋と呼ばれる形態の袋が好ましい。内袋１に用いられる材料は特に限定されるものではないが、ポリエチレンフィルム、ポリプロピレンフィルム、ポリエステルフィルム、ポリ塩化ビニールフィルムなど、あるいはこれらの積層体を用いることができる。例えば、ポリエステルフィルム／アルミニウム箔／ポリプロピレンフィルムなどの積層体などがあげられる。
【００１１】
また、上記内袋１の中に、アルコールなどを含浸した複数枚のウェットティッシュ７が折り畳まれて収納されている。
【００１２】
さらに、上記内袋１の内袋天面３には、ウェットティッシュ７を取り出し可能とする内袋取り出し口５を設ける。この内袋取り出し口５の形状は、一直線、十文字線、円形、楕円形、長方形など適宜とする。また、完全に切り取らずに、一部を残すことにより、ベロ状の開閉する蓋とする形でもよい。
【００１３】
内箱２は、図３に示すように、剛性のある材料として、主に板紙を用いるが、板紙の表面を平滑な面にするため、プレス加工あるいはフィルム貼り加工を行なった方が、開閉蓋４を閉じた時、開閉蓋４の密着性が良く、ウェットティッシュ用容器としての密封性が高くなる。また開閉蓋４に再剥離性の感圧性接着剤を塗布した場合にも、再剥離性が良く、開閉がしやすくなる。この内箱２は、主に直方体の形状に組み立てられ、安定性がよいという点から、最も広い面積を持つ面を内箱天面１１とし、この内箱天面１１に内箱取り出し口６を設ける。この内箱取り出し口６の形状は、内袋１の内袋取り出し口５の形状と同等あるいはやや大きい形状とし、とくに限定はしないが、長方形あるいは楕円形が基本となる。
【００１４】
図４は、内箱２の代表的なブランクの展開図を示している。内箱２は、それぞれの折れ線を介して、内箱側面１３と、内箱天面１１と、内箱側面１４と、内箱底面１２と、糊代片１５とを順に連設して、この内箱側面１３と、内箱天面１１と、内箱側面１４と、内箱底面１２の両側には、折れ線を介して、それぞれ一対の、内箱側面フラップ１２ａと、内箱天面フラップ１１ａと、内箱側面フラップ１４ａと、内箱底面フラップ１２ａとを連設している。また、内箱底面１２には、切り込みを入れ、折り込みができる停止片１６を設ける。この停止片１６を外面に折り返し、内箱２をスライドした際に、外箱３に設けた折り込み片２６に引っ掛かることにより、一定の位置で内箱２のスライドが停止することになる。この停止片１６の位置は、内箱２を外箱３から引き出す時に、内箱取り出し口６が露出した位置で停止するように設計する。
【００１５】
外箱３は、図５に示すように、内箱２と同様に剛性のある材料として、主に板紙を用いて、角筒状つまりスリーブ形状に組み立てられたものである。
【００１６】
図６は、外箱３の代表的なブランクの展開図を示している。外箱３は、それぞれの折れ線を介して、外箱側面２３と、外箱天面２１と、外箱側面２４、外箱底面２２、外箱糊代片２５とを順に連設して、この外箱底面２２には、折れ線を介して、折り込み片２６を連設している。この折り込み片２６は外箱３の内側に折り込まれる。内箱２の停止片１６がこの折り込み片２６に引っ掛かることによって、内箱２が外箱３からスライドして引き出される時に、ある一定の位置で停止し、開けすぎあるいは完全に抜けてしまうことを防いでいる。
【００１７】
開閉蓋４の材料は、内袋１と同様に、プラスチックフィルム単体あるいはその積層体からなっている。この開閉蓋４の裏面には、再剥離性の感圧性接着剤を塗布することもできる。塗布することによって、再封時の密封性をより高く保つことができる。この再剥離性の感圧性接着剤としては、アクリル系樹脂、ゴム系樹脂、ポリエステル系樹脂などの感圧性接着剤を使用することができるが、再剥離が可能なように、内袋１の材料に合わせて適宜選定する。粘着力が強すぎると、剥離しにくく、内箱２を外箱３から引き出しにくくなる。そして、図７−ｂに示すように、この開閉蓋４の開封先端部は上方に折り返され外箱３の裏面に接着固定され、基底部は内箱２の天面に接着固定される。開閉蓋４の形状は、図７−ａに示すように、内箱２の内箱取り出し口６を覆う帯状にする。
【００１８】
また、これらの板紙でできた内箱２、外箱３には、表面に表示や絵柄などの美麗な印刷を行なうことができる。
すなわち、本発明のウェットティッシュ用容器Ａは、図１に示すように、内袋１が内箱２の中に収められ、さらにスリーブ形状の外箱３で包まれた形態で、外観的には、外側に印刷が施された剛性のある直方体の安定した箱である。ウェットティッシュなどの内容物の気密性などが満たされている。
【００１９】
製造する方法としては、すでにウェットティッシュなどの内容物を収納した内袋１をすでに組み立てた直方体の内箱２の中に収める方法と、図８−ａに示すように内箱２のブランクに内袋１を接着固定し、図８−ｂに示すように折り畳んで内袋１を内在する内箱２にし、その内箱２を起こし、箱状にした後にウェットティッシュなどの内容物を充填し、密封する方法とがある。生産効率的には、後者の方法が好ましい。どちらの方法であっても、内袋１と内箱２とは、全面あるいは部分的に接着固定される。ただし、内箱２の天面の部分では、再封時の密封性を高めるために内箱取り出し口６の周辺では、内箱２の裏面と充分な接着固定をすることが好ましい。
【００２０】
内袋１と内箱２とを接着する接着剤、開閉蓋４と内箱２とを接着する接着剤および開閉蓋４と外箱３とを接着する接着剤は、選択した内袋１、内箱２、外箱３および開閉蓋４の材料により適宜選定する。例えば、アクリル系樹脂エマルジョン型接着剤、酢酸ビニール系樹脂エマルジョン型接着剤、エチレン酢酸ビニール樹脂ホットメルト型接着剤、ポリアミド樹脂ホットメルト型接着剤などを使用することができる。
【００２１】
本発明のウェットティッシュ用容器Ａを実際に使用する場合には、まず、開封は内箱２を外箱３からスライドして引き出す、内箱２が引き出されるにつれて、同時に開閉蓋４が剥がされ、内箱２の取り出し口６つまり内袋１の内袋取り出し口５が露出され、内容物のウェットティッシュの取り出しが可能となる。この開封時に内箱２をスライドし引き出すとともに、中の開閉蓋４も同時に開けることができることが本発明のウェットティッシュ用容器の特徴である。この内箱２は開けた状態で保持することができることから、中のウェットティッシュを容易に取り出すことができる。取り出した後は、再び内箱２をスライドし元に戻すことにより、同時に内箱２の開閉蓋４も閉じることができ、ウェットティッシュ７の湿潤状態を保持し、内容物の気密性を保つことができる。さらに開閉蓋４の裏面の感圧性接着剤が塗布されている場合には、再び内箱２に開閉蓋４が貼着され、より密封性が高くなる。
【００２２】
また、柔軟な内袋１が、剛性のある内箱２に固定されていることから、内袋１の中のウェットティッシュ７の量が少なくなった状態でも、潰れたりする形状の変化がなく、内容物であるウェットティッシュ７の取り出しやすさにも変化がなく、開封が確実にでき、再封時の気密性も良好に維持することができる。
【００２３】
さらに、使用後においても、内袋１と内箱２とを分別することもできるし、容易に押しつぶすこともできるので、簡単に廃棄処理することができる。
【００２４】
【実施例】
（実施例１）
まず、表面に印刷を施した板紙、坪量３１０ｇ／ｍ2 のコートボールを使用し、打ち抜いて、図４の展開図に示すような内箱２のブランクと、図６の展開図に示すような外箱３のブランクとを作成した。つぎに、内袋１を作成するために、構成がポリエステルフィルム／アルミニウム箔／ポリエチレンフィルムの積層フィルムを用い、内袋天面の位置に内袋取り出し口５を設け、図８に示すような筒状の内袋１を作成した。この筒状の内袋１を内箱２のブランクに貼り合わせ、ブランクを折り畳み、貼り合わせ、図８に示すような筒状の内袋１が付いた内箱２を作成した。各面では、内袋１と内箱２とを部分的に接着し、特に天面では、内袋取り出し口５と、内箱取り出し口６との位置を合わせ、周辺部分において内袋１の表面と内箱２の裏面とを接着固定した。
【００２５】
つぎに、内容物のウェットティッシュ７の充填は、筒状の内袋１の付いた内箱２を起こし、横から折り畳まれたウェットティッシュ７を挿入し、充填を行なった。充填後、両側のフラップを折り畳み、接着し、中にウェットティッシュを収納した内袋１の入った内箱２を作成した。
【００２６】
つづいて、内袋１の内袋取り出し口５および内箱２の内箱取り出し口６を覆う開閉蓋４として片面に再剥離性の感圧性接着剤を塗布したポリエステルフィルム５０μｍを、内箱取り出し口６を充分に覆う大きさの帯状の形にして貼り合わせた。開封する先端部を一部外側に折り返し、基底部は内箱２の内箱天面１１に接着固定した。
【００２７】
さらに、外箱３のブランクを内箱２に巻き込み、糊代片で接着しスリーブ形状とし、同時に開閉蓋４の折り返した先端部と外箱３の裏面とを接着固定した。この時に、内箱底面１２の停止片１６を外側に折り返し、外箱３の折り込み片２６を内側に折り込んだ。このことにより、内箱２を外箱３からスライドし引き出したときに内箱取り出し口６が露出し、開閉蓋４が開封した位置で停止する。また内箱２をスライドし元に戻すことにより開閉蓋４も閉じられるウェットティッシュ用容器を作成した。
【００２８】
【発明の効果】
本発明によれば、外箱から内箱をスライドし引き出すことにより、開閉蓋が簡単に開封され、再封が確実で容易で、内容物であるウェットティッシュの湿潤状態を保持し、また、中に収納するウェットティッシュの量が少なくなっても、容器の形状を損なうことなく、中からウェットティッシュを一枚ずつ取り出すことができ、かつ、生産コストが低く、使用後の廃棄が容易であるウェットティッシュ用容器を得ることができる。
【図面の簡単な説明】
【図１】本発明のウェットティッシュ用容器の一実施例を示す斜視図である。
【図２】本発明のウェットティッシュ用容器の一実施例の内袋を示す斜視図である。
【図３】本発明のウェットティッシュ用容器の一実施例の内箱を示す斜視図である。
【図４】本発明のウェットティッシュ用容器の一実施例の内箱の展開図を示す図である。
【図５】本発明のウェットティッシュ用容器の一実施例の外箱を示す斜視図である。
【図６】本発明のウェットティッシュ用容器の一実施例の外箱の展開図を示す図である。
【図７】本発明のウェットティッシュ用容器の一実施例を示す平面図および断面図である。
【図８】本発明のウェットティッシュ用容器の一実施例の内袋の付いた内箱を示す図である。
【符号の説明】
Ａ  ウェットティッシュ用容器
１  内袋
２  内箱
３  外箱
４  開閉蓋
５  内袋取り出し口
６  内箱取り出し口
７  ウェットティッシュ
１１  内箱天面
１２  内箱底面
１３  内箱側面
１４  内箱側面
１５  内箱糊代片
１１ａ内箱天面フラップ
１２ａ内箱底面フラップ
１３ａ内箱側面フラップ
１４ａ内箱側面フラップ
１６  停止片
２１  外箱天面
２２  外箱底面
２３  外箱側面
２４  外箱側面
２５  外箱糊代片
２６  折り込み片
【図１】
0003827813.tif 000002
【図２】
0003827813.tif 000003
【図３】
0003827813.tif 000004
【図４】
0003827813.tif 000005
【図５】
0003827813.tif 000006
【図６】
0003827813.tif 000007
【図７】
0003827813.tif 000008
【図８】
0003827813.tif 000009